(57)【特許請求の範囲】
【請求項１】
送風機１８を内蔵し、上面１ａに排出口１４を有するフード本体１と、
このフード本体１の上面１ａに着脱自在に取付けられ、上面２ａと下面２ｂに開口した排気用風路及び上面２ａと前面２ｃに開口した給気用風路を有する給排気ボックス２と、
前記フード本体１の上面１ａに取付けられ、前記給気用風路に対応する給気口２９を有する幕板３と、
前記フード本体１に取付けた給排気ボックス２の上面２ａに、前記排気用風路と連通するように着脱自在に取付けられると共に、前記フード本体１の上面１ａの排出口１４に連通するように前記フード本体１に直接取付けられる排気継手４と、
前記給排気ボックス２の上面２ａに給気用風路と連通するように取付けられる給気継手５より構成したことを特徴とするレンジフード。
【請求項２】
排気継手４、給気継手５を給排気ボックス２の上面２ａにそれぞれ取付けた時に、両者が同一高さとなるようにした請求項１記載のレンジフード。
【発明の詳細な説明】
【０００１】
【発明の属する技術分野】
本発明は、厨房内においてガスレンジ等の上方に配置され、調理時に発生する廃ガスや油煙等を捕集して室内の空気とともに室外に排出するレンジフードに関する。
【０００２】
【従来の技術】
厨房内に配置されるレンジフードは、フード本体と排気用ファンユニットとを備えたものであり、調理時に発生する廃ガスや油煙等を捕集して室外に排出する。
【０００３】
最近の住宅は省エネの観点や、ツーバイ工法、パネル工法等の建築工法も関連して、室内の高気密化が進んで来た。特に寒冷地の住宅は室内を高気密化して冬季の暖房効果を向上している。
【０００４】
前述のように、レンジフードにより調理時に発生する煙り、湯気、臭気等を室外に排気する際に室内の空気も室外に排出されるので、前述のように室内が高気密化された住宅においては排出された排気量に見合った外気を室内に取入れできず、十分な排気（または換気・レンジフード）性能が発揮できないし、室内の気圧が低下してドアの開閉が重くなると共に、酸欠が生じたりすることがある。
【０００５】
一般の地域では冬季でも窓を開けたり、通気口を開いて外気の取り外れができるので、前述のレンジフードを使用できるが、寒冷地等では冬季に窓を開けたり、通気口を開けることは実際上行われないので外気の室内取入れ量不足による前述のことが起る。
【０００６】
このようなことから、調理時に発生する廃ガス、油煙等を室外に排出すると同時に室外の空気を室内に取り入れる給気手段を備えた給排気式レンジフードが種々提案されている。
例えば、実開昭５７−１３０１３９号公報、実開昭５７−１３０１８３８号公報、実開昭５７−１３０１３７号公報などに示された給排気式レンジフードが提案されている。
【０００７】
【発明が解決しようとする課題】
前述の給気及び排気機能を有する給排気式レンジフードはフード本体内に給気風路を構成しているために、この給排気式レンジフードと前述の排気機能だけの標準的レンジフードとは構造が異なり、給排気式レンジフードと標準的レンジフードは別々に製作している。
【０００８】
このために、２種類のレンジフードを製作、輸送、販売、据付けるので、その管理が大変面倒となるし、使用者の希望により既設の標準的レンジフードを給排気式レンジフードに交換するには既設の標準的レンジフードを取り外し、新らしく給排気式レンジフードを取付ける必要がある。
【０００９】
そこで、本発明の前述の課題を解決できるようにしたレンジフードを提供することを目的とする。
【００１０】
【課題を解決するための手段】
第１の発明は、送風機１８を内蔵し、上面１ａに排出口１４を有するフード本体１と、
このフード本体１の上面１ａに着脱自在に取付けられ、上面２ａと下面２ｂに開口した排気用風路及び上面２ａと前面２ｃに開口した給気用風路を有する給排気ボックス２と、
前記フード本体１の上面１ａに取付けられ、前記給気用風路に対応する給気口２９を有する幕板３と、
前記フード本体１に取付けた給排気ボックス２の上面２ａに、前記排気用風路と連通するように着脱自在に取付けられると共に、前記フード本体１の上面１ａの排出口１４に連通するように前記フード本体１に直接取付けられる排気継手４と、
前記給排気ボックス２の上面２ａに給気用風路と連通するように取付けられる給気継手５より構成したことを特徴とするレンジフードである。
【００１１】
第２の発明は、第１の発明における排気継手４、給気継手５を給排気ボックス２の上面２ａにそれぞれ取付けた時に、両者が同一高さとなるようにしたレンジフードである。
【００１２】
【作用】
第１の発明によれば、排気継手４をフード本体１の上面１ａに、その排出口１４と連通するように直接取付ければ標準的レンジフードとなる。また、フード本体１の上面１ａに給排気ボックス２を取付けると共に、その給排気ボックス２の上面２ａに排気継手４、給気継手５を、排気用風路、給気用風路に連通するように取付ければ給排気式レンジフードとなる。
【００１３】
このようであるから、フード本体１、給排気ボックス２、幕板３、排気継手４、給気継手５を製作し、それらを組立てることで標準的レンジフード、給排気式レンジフードとすることができ、その管理が簡単となる。
また、既設の標準的レンジフードを簡単に給排気式レンジフードに変更できる。
【００１４】
第２の発明によれば、排気継手４、給気継手５が同一高さであるから、排気用ダクトと給気用ダクトを同一高さ位置として段差なく取付けできるから、そのダクト取付工事が簡単となる。
【００１５】
【発明の実施の形態】
図１に示すように、送風機を内蔵したフード本体１と、このフード本体１の上面１ａに着脱自在に取付けられる給排気ボックス２及び幕板３と、そのフード本体１の上面１ａ及び給排気ボックス２の上面２ａに着脱自在に取付けられる排気継手４と、前記給排気ボックス２の上面２ａに着脱自在に取付けられる給気継手５とでレンジフードとしてある。
【００１６】
前記フード本体１は前板１０と後板１１と左右の側板１２と上板１３とで下面を開口した状態で、その上板１３の一方の側板１２寄りに排出口１４が形成してある。
【００１７】
前記フード本体１内には図２に示すように、仕切板１５が取付けてあり、この仕切板１５と上板１３とに亘ってフィルター１６が取付けられて吸引室１７を形成している。この吸引室１７内に送風機１８が取付けてある。この送風機１８はケース１９内にファン２０を設け、そのファン２０をケース１９に取付けたモータ２１で回転駆動するものである。このケース１９が上板１３に取付けられ、そのケース１９の出口１９ａが排出口１４と連続している。
【００１８】
前記給排気ボックス２は図１に示すように、第１室２２と第２室２３を有する箱体で、その下縁にフランジ２４を備えている。前記第１室２２は下部開口２５で下面２ｂに開口し、かつ第１上部開口２６で上面２ａに開口して上面と下面に開口した排気用風路を構成している。前記第２室２３は第２上部開口２７で上面２ａに開口し、かつ前部開口２８で前面２ｃに開口して上面と前面に開口した給気用風路を構成している。
【００１９】
前記幕板３は縦板状で、前記前部開口２８と対向した給気口２９を有している。
【００２０】
前記排気継手４は図１に示すように筒体３０の一端開口縁にフランジ３１を一体的に設けてある。前記給気継手５は筒体３２の一端開口縁にフランジ３３を一体的に設けてある。
【００２１】
このようであるから、排気のみの標準的レンジフードとする場合には図３に示すように、フード本体１の上板１３（上面１ａ）に排気継手４を、その筒体３０が排出口１４と連続して取付けると共に、幕板３を取付ける。
【００２２】
このようにすれば、送風機１８によって調理時に発生した廃ガスや油煙を室内の空気とともに吸引して排気用ダクト３４を経て室外に排出できる。なお、幕板３は図１に示す幕板３を取付けても良いし、給気口２９のない幕板３を取付けても良い。
【００２３】
また、給排気式レンジフードとする場合には図４と図５に示すように、フード本体１の上板１３（上面１ａ）に給排気ボックス２を、その下部開口２５が排出口１４と連続し、前部開口２８が幕板３の給気口２９と連続するように取付ける。
【００２４】
給排気ボックス２の上面２ａに排気継手４を第１上部開口２６と連続して取付けると共に、給気継手５を第２上部開口２７と連続して取付ける。
【００２５】
このようにすれば、送風機１８によって調理時に発生した廃ガスや油煙を室内の空気とともに吸引して吸排気ボックス２の第１室２２、排気継手４、排気用ダクト３４を経て室外に排出できる。また、室内の空気が室外に排出されて室内の気圧が低下することで室外の空気が、給気用ダクト３５、給気継手５、給排気ボックス２の第２室２３、前部開口２８、幕板３の給気口２９より室内に流入する。
【００２６】
また、前記排気継手４と給気継手５とは同一高さとしてある。これにより、排気用ダクト３４と給気用ダクト３５を同一高さ位置で段差をつけずに取付け工事できるから、そのダクト取付工事がやり易い。
【００２７】
なお、幕板３の給気口２９は図６に示すように上部に形成しても良い。この場合には室外の空気が給排気ボックス２の前部開口２８より矢印のように流れて吸気口２９より室内に流入する。また、給排気ボックス２内、排気継手４、給気継手５のいずれかにシャッタを取付けてレンジフード未使用時に外気が室内に流れ込まないようにしても良い。
【００２８】
【発明の効果】
請求項１に係る発明によれば、排気継手４をフード本体１の上面１ａに、その排出口１４と連通するように直接取付ければ標準的レンジフードとなる。また、フード本体１の上面１ａに給排気ボックス２を取付けると共に、その給排気ボックス２の上面２ａに排気継手４、給気継手５を、排気用風路、給気用風路に連通するように取付ければ給排気式レンジフードとなる。
【００２９】
このようであるから、フード本体１、給排気ボックス２、幕板３、排気継手４、給気継手５を製作し、それらを組立てることで標準的レンジフード、給排気式レンジフードとすることができ、その管理が簡単となる。
また、既設の標準的レンジフードを簡単に給排気式レンジフードに変更できる。
【００３０】
請求項２に係る発明によれば、排気継手４、給気継手５が同一高さであるから、排気用ダクトと給気用ダクトを同一高さ位置として段差なく取付けできるから、そのダクト取付工事が簡単となる。
【図面の簡単な説明】
【図１】本発明の実施の形態を示す分解斜視図である。
【図２】フード本体の断面図である。
【図３】標準的レンジフードの排気部分の断面図である。
【図４】給排気式レンジフードの排気部分の断面図である。
【図５】給排気式レンジフードの給気部分の断面図である。
【図６】幕板の他の例を示す断面図である。
【符号の説明】
１…フード本体、１ａ…上面、２…給排気ボックス、２ａ…上面、３…幕板、４…排気継手、５…給気継手、１４…排出口、１８…送風機、２２…第１室、２３…第２室、２５…下部開口、２６…第１上部開口、２７…第２上部開口、２８…前部開口、２９…給気口。
【図１】
0003627383.tif 000002
【図２】
0003627383.tif 000003
【図３】
0003627383.tif 000004
【図４】
0003627383.tif 000005
【図５】
0003627383.tif 000006
【図６】
0003627383.tif 000007